(57)【要約】【課題】端子部材をケーブルの端部に取り付ける組立作業性を向上することができるケーブル装置を提供する。【解決手段】端子部材１０にアノードキャップ２０が被せられた状態において、アノードキャップ２０の外方からアノードキャップ２０内の端子部材１０にケーブルＣの芯線Ｃ２を先にして差し込めば、ケーブルＣの被覆部Ｃ１が被覆挟持部１１の一対の手前側挟持片１５により挟持され、芯線Ｃ２が芯線挟持部１２の一対の奥側挟持片１６により挟持されるようにした。【選択図】図１
2004335318.tif 000002
【特許請求の範囲】
【請求項１】
ケーブルの端部に端子部材を取り付けてなるものであり、ケーブルの端部は被覆部から芯線が剥き出されているケーブル装置において、
前記端子部材は、前記ケーブルが前記芯線を先にして差し込まれるものであり、前記ケーブルの差し込み方向で手前側に配された被覆挟持部と、前記差し込み方向で奥側に配された芯線挟持部とを備え、
前記被覆挟持部および前記芯線挟持部は、ケーブルが差し込まれたときに、前記被覆部および前記芯線をそれぞれ挟持するように形成されている
ことを特徴とするケーブル装置。
【請求項２】
ケーブルの端部に端子部材を取り付けてなるものであり、ケーブルの端部は被覆部から芯線が剥き出され、前記端子部材にアノードキャップが被せられるケーブル装置において、
前記端子部材は、前記アノードキャップが被せられた状態で該アノードキャップの外方から前記ケーブルが前記芯線を先にして差し込まれるものであり、前記ケーブルの差し込み方向で手前側に配された被覆挟持部と、前記差し込み方向で奥側に配された芯線挟持部とを備え、
前記被覆挟持部および前記芯線挟持部は、前記ケーブルが差し込まれたときに、前記被覆部および前記芯線をそれぞれ挟持するように形成されている
ことを特徴とするケーブル装置。
【請求項３】
ケーブルの端部に端子部材を取り付けてなるものであり、ケーブルの端部は被覆部から芯線が剥き出され、前記端子部材にアノードキャップが被せられ、前記端子部材は、ブラウン管のアノードコンタクトに接続して用いられるケーブル装置において、
前記端子部材は前記アノードキャップが被せられた状態で該アノードキャップの外方から前記ケーブルが前記芯線を先にして差し込まれるものであり、前記ケーブルの差し込み方向で手前側に配された被覆挟持部と、前記差し込み方向で奥側に配された芯線挟持部とを備え、
さらに、前記端子部材は、前記アノードコンタクトを外方から覆うように配された天井部と、該天井部の周縁に沿って配された周壁とを備え、
前記被覆挟持部は、前記差し込み方向で前記周壁の手前側の壁を構成する一対の手前側挟持片を備え、
前記一対の手前側挟持片は、前記ケーブルが差し込まれたときに、前記一対の手前側挟持片の少なくとも一方がその復元力に抗して撓み前記一対の手前側挟持片の間の隙間を広げることで前記被覆部の差し込みを許容する一方、復元して前記隙間を狭めることで前記被覆部を挟持するように形成され、
前記芯線挟持部は、前記差し込み方向で前記周壁の奥側の壁を構成する一対の奥側挟持片を備え、
前記一対の奥側挟持片は、前記ケーブルが差し込まれたときに、前記一対の奥側挟持片の少なくとも一方がその復元力に抗して撓み前記一対の奥側挟持片の間の隙間を広げることで前記芯線の差し込みを許容する一方、復元して前記隙間を狭めることで前記芯線を挟持するように形成されている
ことを特徴とするケーブル装置。
【請求項４】
前記被覆挟持部は、前記被覆部を挟持するとき前記被覆部に食い込むように形成され、
前記芯線挟持部は、前記芯線を挟持するとき前記芯線に食い込むように形成されている
ことを特徴とする請求項１、２または３に記載のケーブル装置。
【請求項５】
前記一対の手前側挟持片の少なくとも一方は、前記隙間を間にして対向する一対の手前側挟持片の先端部とは反対側の基端部を固定した片持はりのように形成され、
前記一対の奥側挟持片の少なくとも一方は、前記隙間を間にして対向する一対の奥側挟持片とは反対側の基端部を固定した片持はりのように形成されている
ことを特徴とする請求項３に記載のケーブル装置。
【請求項６】
前記一対の手前側挟持片の先端部は、該一対の手前側挟持片の間の隙間に向かって前記差し込み方向へ傾斜することで、被覆部を前記隙間に案内するように形成され、
前記一対の奥側挟持片の先端部は、該一対の奥側挟持片の間の隙間に向かって前記差し込み方向へ傾斜することで、芯線を前記隙間に案内するように形成されている
ことを特徴とする請求項３、４または５に記載のケーブル装置。
【請求項７】
前記周壁の両側の壁を構成する両側壁部には、アノードコンタクトに接続するための接続部が形成されている
ことを特徴とする請求項３〜６の何れかに記載のケーブル装置。
【請求項８】
前記差し込み方向で前記芯線挟持部より奥側に配され、前記ケーブルを差し込んだとき、前記芯線が突き当たるように形成された対向部を備えた
ことを特徴とする請求項３〜７の何れかに記載のケーブル装置。
【請求項９】
前記端子部材は、１枚の平板を折曲げることにより形成されている
ことを特徴とする請求項１〜８の何れかに記載のケーブル装置。
【請求項１０】
前記端子部材は、前記アノードキャップに嵌め込まれることで位置決めされる
ことを特徴とする請求項１〜９の何れかに記載のケーブル装置。
【発明の詳細な説明】
【０００１】
【発明の属する技術分野】
本発明は、ケーブルの端部に端子部材を取り付けてなるものであり、ケーブルの端部は被覆部から芯線が剥き出されているケーブル装置に関する。
【０００２】
【従来の技術】
従来のケーブル装置としては、例えば、金属板を横断面略逆Ｕ字状に折曲げて端子部材が形成され、その頂部折曲げ部が高圧リード線の抱持部となり、両下端部がブラウン管接続端となると共に、前記頂部折曲げ部より、斜前下方に突出するように延出部が延設し、この延出部の先端に高圧リード線先端の芯線がカシメによって保持される芯線保持部が形成され、前記頂部折曲げ部に下方に向け折曲げた係止爪が形成され、この係止爪が高圧リード線の被覆部に喰い込むようにし、端子部材がアノードキャップの内部に保持されているものがある（特許文献１参照。）。
【０００３】
【特許文献１】
特開２０００−３４０２７８号公報
【０００４】
【発明が解決しようとする課題】
しかしながら、このような従来のケーブル装置では、高圧リード線の先端部に端子部材を取り付けるとき、頂部折曲げ部に高圧リード線を通す工程と、端子部材の芯線保持部で高圧リード線の芯線をカシメによって保持する工程と、端子部材の係止爪を高圧リード線の被覆部に食い込ませる工程とが必要になり、端子部材の取付工程が多く、取付作業性がよくない。
【０００５】
また、アノードキャップの内部に端子部材を保持してからでは、端子部材の係止爪を高圧リード線の被覆部に食い込ませることができないので、アノードキャップを高圧リード線の先端部に通し、高圧リード線の基端側へずらしておき、次に、高圧リード線の先端部に端子部材を取り付け、次に、アノードキャップを高圧リード線の先端部にずらして、端子部材を保持するか、または、高圧リード線の先端部に端子部材を取り付け、次に、アノードキャップを高圧リード線の基端部から先端部に通し、端子部材を保持する必要があり、端子部材およびアノードキャップの取付手順が限定されるので、この点からも取付作業性がよくない。
【０００６】
さらに、端子部材はブラウン管のアノードコンタクトに装着されるが、そのアノードコンタクトから放射される放射線が外部に放射されるのを回避するために、端子部材の頂部折曲げ部に孔などが開けられていないことが望ましいが、頂部折曲げ部は、それを切り曲げすることで係止爪が形成され、孔が開いていて、放射線を回避するために、アノードキャップの肉厚を厚めにしたり、放射線を回避するための別部材を設ける必要があり、コストが嵩むという問題点もある。
【０００７】
本発明は、このような従来の問題点に着目してなされたもので、ケーブルを端子部材に差し込むだけで、ケーブルの端部に端子部材を取り付けることができるようにして取付作業性を向上することができるケーブル装置を提供することを目的としている。
【０００８】
また、端子部材に天井部を設けることで、アノードコンタクトからの放射線が外部に放射されるのを回避することができ、アノードキャップの肉厚を厚めにしたり、別部材を設ける必要がなく、コストを低減することができるケーブル装置を提供することを目的としている。さらに、端子部材を１枚の平板を折曲げることにより成形することで、同じくコストを低減することができるケーブル装置を提供することを目的としている。
【０００９】
【課題を解決するための手段】
かかる目的を達成するための本発明の要旨とするところは、次の各項の発明に存する。
［１］ケーブル（Ｃ）の端部に端子部材（１０）を取り付けてなるものであり、ケーブル（Ｃ）の端部は被覆部（Ｃ１）から芯線（Ｃ２）が剥き出されているケーブル装置（１０ａ）において、
前記端子部材（１０）は、前記ケーブル（Ｃ）が前記芯線（Ｃ２）を先にして差し込まれるものであり、前記ケーブル（Ｃ）の差し込み方向で手前側に配された被覆挟持部（１１）と、前記差し込み方向で奥側に配された芯線挟持部（１２）とを備え、
前記被覆挟持部（１１）および前記芯線挟持部（１２）は、ケーブル（Ｃ）が差し込まれたときに、前記被覆部（Ｃ１）および前記芯線（Ｃ２）をそれぞれ挟持するように形成されている
ことを特徴とするケーブル装置（１０ａ）。
【００１０】
［２］ケーブル（Ｃ）の端部に端子部材（１０）を取り付けてなるものであり、ケーブル（Ｃ）の端部は被覆部（Ｃ１）から芯線（Ｃ２）が剥き出され、前記端子部材（１０）にアノードキャップ（２０）が被せられるケーブル装置（１０ａ）において、
前記端子部材（１０）は、前記アノードキャップ（２０）が被せられた状態で該アノードキャップ（２０）の外方から前記ケーブル（Ｃ）が前記芯線（Ｃ２）を先にして差し込まれるものであり、前記ケーブル（Ｃ）の差し込み方向で手前側に配された被覆挟持部（１１）と、前記差し込み方向で奥側に配された芯線挟持部（１２）とを備え、
前記被覆挟持部（１１）および前記芯線挟持部（１２）は、前記ケーブル（Ｃ）が差し込まれたときに、前記被覆部（Ｃ１）および前記芯線（Ｃ２）をそれぞれ挟持するように形成されている
ことを特徴とするケーブル装置（１０ａ）。
【００１１】
［３］ケーブル（Ｃ）の端部に端子部材（１０）を取り付けてなるものであり、ケーブル（Ｃ）の端部は被覆部（Ｃ１）から芯線（Ｃ２）が剥き出され、前記端子部材（１０）にアノードキャップ（２０）が被せられ、前記端子部材（１０）は、ブラウン管（ＣＲＴ）のアノードコンタクト（ＡＣ）に接続して用いられるケーブル装置（１０ａ）において、
前記端子部材（１０）は前記アノードキャップ（２０）が被せられた状態で該アノードキャップ（２０）の外方から前記ケーブル（Ｃ）が前記芯線（Ｃ２）を先にして差し込まれるものであり、前記ケーブル（Ｃ）の差し込み方向で手前側に配された被覆挟持部（１１）と、前記差し込み方向で奥側に配された芯線挟持部（１２）とを備え、
さらに、前記端子部材（１０）は、前記アノードコンタクト（ＡＣ）を外方から覆うように配された天井部（１３）と、該天井部（１３）の周縁に沿って配された周壁（１４）とを備え、
前記被覆挟持部（１１）は、前記差し込み方向で前記周壁（１４）の手前側の壁を構成する一対の手前側挟持片（１５）を備え、
前記一対の手前側挟持片（１５）は、前記ケーブル（Ｃ）が差し込まれたときに、前記一対の手前側挟持片（１５）の少なくとも一方がその復元力に抗して撓み前記一対の手前側挟持片（１５）の間の隙間を広げることで前記被覆部（Ｃ１）の差し込みを許容する一方、復元して前記隙間を狭めることで前記被覆部（Ｃ１）を挟持するように形成され、
前記芯線挟持部（１２）は、前記差し込み方向で前記周壁（１４）の奥側の壁を構成する一対の奥側挟持片（１６）を備え、
前記一対の奥側挟持片（１６）は、前記ケーブル（Ｃ）が差し込まれたときに、前記一対の奥側挟持片（１６）の少なくとも一方がその復元力に抗して撓み前記一対の奥側挟持片（１６）の間の隙間を広げることで前記芯線（Ｃ２）の差し込みを許容する一方、復元して前記隙間を狭めることで前記芯線（Ｃ２）を挟持するように形成されている
ことを特徴とするケーブル装置（１０ａ）。
【００１２】
［４］前記被覆挟持部（１１）は、前記被覆部（Ｃ１）を挟持するとき前記被覆部（Ｃ１）に食い込むように形成され、
前記芯線挟持部（１２）は、前記芯線（Ｃ２）を挟持するとき前記芯線（Ｃ２）に食い込むように形成されている
ことを特徴とする［１］、［２］または［３］に記載のケーブル装置（１０ａ）。
【００１３】
［５］前記一対の手前側挟持片（１５）の少なくとも一方は、前記隙間を間にして対向する一対の手前側挟持片（１５）の先端部とは反対側の基端部を固定した片持はりのように形成され、
前記一対の奥側挟持片（１６）の少なくとも一方は、前記隙間を間にして対向する一対の奥側挟持片（１６）とは反対側の基端部を固定した片持はりのように形成されている
ことを特徴とする［３］に記載のケーブル装置（１０ａ）。
【００１４】
［６］前記一対の手前側挟持片（１５）の先端部は、該一対の手前側挟持片（１５）の間の隙間に向かって前記差し込み方向へ傾斜することで、被覆部（Ｃ１）を前記隙間に案内するように形成され、
前記一対の奥側挟持片（１６）の先端部は、該一対の奥側挟持片（１６）の間の隙間に向かって前記差し込み方向へ傾斜することで、芯線（Ｃ２）を前記隙間に案内するように形成されている
ことを特徴とする［３］、［４］または［５］に記載のケーブル装置（１０ａ）。
【００１５】
［７］前記周壁（１４）の両側の壁を構成する両側壁部（１７）には、アノードコンタクト（ＡＣ）に接続するための接続部（１８）が形成されている
ことを特徴とする［３］〜［６］の何れかに記載のケーブル装置（１０ａ）。
【００１６】
［８］前記差し込み方向で前記芯線挟持部（１２）より奥側に配され、前記ケーブル（Ｃ）を差し込んだとき、前記芯線（Ｃ２）が突き当たるように形成された対向部（１３ａ）を備えた
ことを特徴とする［３］〜［７］の何れかに記載のケーブル装置（１０ａ）。
【００１７】
［９］前記端子部材（１０）は、１枚の平板を折曲げることにより形成されている
ことを特徴とする［１］〜［８］の何れかに記載のケーブル装置（１０ａ）。
【００１８】
［１０］前記端子部材（１０）は、前記アノードキャップ（２０）に嵌め込まれることで位置決めされる
ことを特徴とする［１］〜［９］の何れかに記載のケーブル装置（１０ａ）。
【００１９】
次に、ケーブル装置（１０ａ）の組立手順を説明する。
端子部材（１０）にケーブル（Ｃ）の端部を差し込むとき、ケーブル（Ｃ）の差し込み方向で端子部材（１０）の被覆挟持部（１１）が手前側になり、芯線挟持部（１２）が奥側になるようにしておく。端子部材（１０）をこのような状態にしてから、ケーブル（Ｃ）が芯線（Ｃ２）を先にして端子部材（１０）に差し込まれると、ケーブル（Ｃ）の被覆部（Ｃ１）および芯線（Ｃ２）が手前側の被覆挟持部（１１）を通り、さらに、被覆部（Ｃ１）が奥側の芯線挟持部（１２）を通るようになる。
【００２０】
被覆挟持部（１１）を通った被覆部（Ｃ１）は、被覆挟持部（１１）により挟持され、芯線挟持部（１２）を通った芯線（Ｃ２）は、芯線挟持部（１２）により挟持されるようになる。したがって、端子部材（１０）にケーブル（Ｃ）を差し込むだけで、端子部材（１０）がケーブル（Ｃ）の端部に取り付けられるので、芯線（Ｃ２）のハンダ付け工程または、被覆部（Ｃ１）あるいは芯線（Ｃ２）のカシメ工程が不要になり、端子部材（１０）をケーブル（Ｃ）の端部に取り付ける組立作業性が向上する。
【００２１】
次に、端子部材（１０）にアノードキャップ（２０）が被せられるものでは、ケーブル装置（１０ａ）の組立手順は以下のようになる。すなわち、予め端子部材（１０）にアノードキャップ（２０）を被せておく。このように、アノードキャップ（２０）が被せられた状態で端子部材（１０）にケーブル（Ｃ）の端部を差し込むときにも、ケーブル（Ｃ）の差し込み方向で端子部材（１０）の被覆挟持部（１１）が手前側になり、芯線挟持部（１２）が奥側になるように端子部材（１０）をしておく。
【００２２】
アノードキャップ（２０）内の端子部材（１０）にアノードキャップ（２０）の外方からケーブル（Ｃ）の芯線（Ｃ２）を先にして差し込むと、ケーブル（Ｃ）の被覆部（Ｃ１）および芯線（Ｃ２）がアノードキャップ（２０）を通って、さらに、手前側の被覆挟持部（１１）を通り、さらに、芯線（Ｃ２）が奥側の芯線挟持部（１２）を通るようになる。被覆挟持部（１１）を通った被覆部（Ｃ１）は、被覆挟持部（１１）により挟持され、芯線挟持部（１２）を通った芯線（Ｃ２）は、芯線挟持部（１２）により挟持されるようになる。
【００２３】
したがって、端子部材（１０）にアノードキャップ（２０）が被せられた状態のままで、ケーブル（Ｃ）をアノードキャップ（２０）の外方からアノードキャップ（２０）内の端子部材（１０）に差し込むようにすればよく、例えば、端子部材（１０）にアノードキャップ（２０）を被せないで、端子部材（１０）にケーブル（Ｃ）の先端部を取り付け、その後、アノードキャップ（２０）をケーブル（Ｃ）の基端部から先端部へずらして、端子部材（１０）に被せたりする必要がなく、ケーブル装置（１０ａ）の組立手順を大幅に変更して、組立作業性を向上することができる。
【００２４】
次に、端子部材（１０）がブラウン管（ＣＲＴ）のアノードコンタクト（ＡＣ）に接続して用いられ、端子部材（１０）が天井部（１３）および周壁（１４）を備え、被覆挟持部（１１）は、ケーブル（Ｃ）の差し込み方向で周壁（１４）の手前側の壁を構成する一対の手前側挟持片（１５）を備え、芯線挟持部（１２）は、ケーブル（Ｃ）の差し込み方向で周壁（１４）の奥側の壁を構成する一対の奥側挟持片（１６）を備えたものでは、ケーブル装置（１０ａ）の組立手順は、以下のようになる。
【００２５】
すなわち、予め端子部材（１０）にアノードキャップ（２０）を被せておき、ケーブル（Ｃ）の差し込み方向で端子部材（１０）の被覆挟持部（１１）が手前側になり、芯線挟持部（１２）が奥側になるように端子部材（１０）をしておく。アノードキャップ（２０）内の端子部材（１０）にアノードキャップ（２０）の外方からケーブル（Ｃ）を芯線（Ｃ２）を先にして差し込むと、ケーブル（Ｃ）の被覆部（Ｃ１）および芯線（Ｃ２）がアノードキャップ（２０）を通って、さらに、手前側の被覆挟持部（１１）を通り、さらに、芯線（Ｃ２）が奥側の芯線挟持部（１２）を通るようになる。
【００２６】
被覆部（Ｃ１）が被覆挟持部（１１）を通るとき、被覆挟持部（１１）の一対の手前側挟持片（１５）の少なくとも一方が復元力に抗して撓み一対の手前側挟持片（１５）の間の隙間を広げて、被覆部（Ｃ１）が通るのを許容するようになる。同じく、芯線（Ｃ２）が芯線挟持部（１２）を通るとき、芯線挟持部（１２）の一対の奥側挟持片（１６）の少なくとも一方が復元力に抗して撓み一対の奥側挟持片（１６）の間の隙間を広げて、芯線（Ｃ２）が通るのを許容するようになる。
【００２７】
被覆挟持部（１１）を通った被覆部（Ｃ１）は、一対の手前側挟持片（１５）の少なくとも一方が復元して両者間の隙間を狭めることにより、挟持される。また、芯線挟持部（１２）を通った芯線（Ｃ２）は、一対の奥側挟持片（１６）の少なくとも一方が復元して両者間の隙間を狭めることにより挟持されるようになる。したがって、端子部材（１０）がアノードキャップ（２０）に予め組み付けられた状態でも、ケーブル（Ｃ）をアノードキャップ（２０）の外方からアノードキャップ（２０）内の端子部材（１０）にケーブル（Ｃ）を差し込むだけで、端子部材（１０）がケーブル（Ｃ）の端部に取り付けられ、ケーブル装置（１０ａ）の組立作業性が向上する。
【００２８】
また、端子部材（１０）がアノードコンタクト（ＡＣ）を外方から覆うように配された天井部（１３）を備えているので、アノードコンタクト（ＡＣ）からの放射線を天井部（１３）が遮るようになり、放射線が外部へ放射されるのを端子部材（１０）によって有効に回避することができる。
【００２９】
次に、被覆挟持部（１１）は、被覆部（Ｃ１）を挟持するとき被覆部（Ｃ１）に食い込むように形成され、芯線挟持部（１２）は、芯線（Ｃ２）を挟持するとき芯線（Ｃ２）に食い込むように形成されているものでは、被覆部（Ｃ１）および芯線（Ｃ２）に被覆挟持部（１１）および芯線挟持部（１２）をそれぞれ食い込ませることで、ケーブル（Ｃ）を端子部材（１０）から引き抜こうとする大きな力にも対抗することができ、抜け防止の機能を向上させることができる。
【００３０】
次に、一対の手前側挟持片（１５）の少なくとも一方は、隙間を間にして対向する一対の手前側挟持片（１５）の先端部とは反対側の基端部を固定した片持はりのように形成され、一対の奥側挟持片（１６）の少なくとも一方は、隙間を間にして対向する一対の奥側挟持片（１６）の先端部とは反対側の基端部を固定した片持はりのように形成されているものでは、端子部材（１０）の取付作業において、被覆部（Ｃ１）が被覆挟持部（１１）を通るとき、被覆挟持部（１１）の一対の手前側挟持片（１５）が復元力に抗して片持はりのように撓み、その結果、一対の手前側挟持片（１５）の間の隙間が広がって、被覆部（Ｃ１）が通るのを許容するようになる。
【００３１】
同じく、芯線（Ｃ２）が芯線挟持部（１２）を通るとき、芯線挟持部（１２）の一対の奥側挟持片（１６）が復元力に抗して片持はりのように撓み、その結果、一対の奥側挟持片（１６）の間の隙間が広がって、芯線（Ｃ２）が通るのを許容するようになる。
【００３２】
被覆挟持部（１１）を通った被覆部（Ｃ１）は、一対の手前側挟持片（１５）が復元して、片持はりの撓みが減少し、その結果、両者間の隙間が狭まることで挟持される。また、芯線挟持部（１２）を通った芯線（Ｃ２）は、一対の奥側挟持片（１６）が復元して、片持はりの撓みが減少し、その結果、両者間の隙間が狭まることで挟持されるようになる。
【００３３】
次に、一対の手前側挟持片（１５）の先端部（１５ａ）は、一対の手前側挟持片（１５）の間の隙間に向かってケーブル（Ｃ）の差し込み方向へ傾斜することで、被覆部（Ｃ１）を前記隙間に案内するように形成され、一対の奥側挟持片（１６）の先端部（１６ａ）は、一対の奥側挟持片（１６）の間の隙間に向かってケーブル（Ｃ）の差し込み方向へ傾斜することで、芯線（Ｃ２）を前記隙間に案内するように形成されているものでは、端子部材（１０）の取付作業において、ケーブル（Ｃ）の被覆部（Ｃ１）を被覆挟持部（１１）である一対の手前側挟持片（１５）の間の隙間に差し込むとき、その隙間に対して被覆部（Ｃ１）が多少ずれていても、被覆部（Ｃ１）が手前側挟持片（１５）によって隙間に案内されるようになる。
【００３４】
同じように、ケーブル（Ｃ）の芯線（Ｃ２）を芯線挟持部（１２）である一対の奥側挟持片（１６）の間の隙間に差し込むとき、その隙間に対して芯線（Ｃ２）が多少ずれていても、芯線（Ｃ２）が奥側挟持片（１６）によって隙間に案内されるようになる。それにより、ケーブル（Ｃ）の曲がりを直したり、ケーブル（Ｃ）を端子部材（１０）に差し直したりする必要がなく、ケーブル装置（１０ａ）の組立作業性を向上することができる。
【００３５】
次に、周壁（１４）の両側の壁を構成する両側壁部（１７）にアノードコンタクト（ＡＣ）に接続するための接続部（１８）が形成されているものでは、手前側の壁および奥側の壁以外の周壁（１４）を有効に利用することができ、接続部（１８）を別部材で成形する必要がなく、部品点数や部品組付工数を減らすことができる。
【００３６】
次に、差し込み方向で芯線挟持部（１２）より奥側に配され、ケーブル（Ｃ）を差し込んだときに芯線（Ｃ２）が突き当たるように形成された対向部（１３ａ）を備えたものでは、端子部材（１０）の取付作業において、ケーブル（Ｃ）を端子部材（１０）に差し込んでいくと、ケーブル（Ｃ）の芯線（Ｃ２）が一対の奥側挟持片（１６）の間の隙間を通過し、やがて、対向部（１３ａ）に突き当たる。作業者は、芯線（Ｃ２）が対向部（１３ａ）に突き当たったことを感じて、差し込みを終了することができる。それにより、ケーブル（Ｃ）の差し込み不足や、差し込み過ぎを防止することができる。
【００３７】
次に、端子部材（１０）は、１枚の平板を折曲げることにより形成されているものでは、端子部材（１０）が複数の部品から構成されていないので、組立工程が不要になり、また、部品管理が容易になり、この点からもコストを低減することができる。
【００３８】
次に、端子部材（１０）は、アノードキャップ（２０）に嵌め込まれることで位置決めされるものでは、アノードキャップ（２０）に対して端子部材（１０）を位置決めするときに、端子部材（１０）を位置決めするための治具などが不要であり、端子部材（１０）をアノードキャップ（２０）に嵌め込むだけで、容易に端子部材（１０）を位置決めすることができ、ケーブル装置（１０ａ）の組立作業性が向上する。
【００３９】
【発明の実施の形態】
以下、本発明の実施の形態について図面を参照して説明する。図１〜図６は、本発明の一実施の形態を示している。
【００４０】
ブラウン管ＣＲＴ後部の電子銃からブラウン管ＣＲＴ前面内側の蛍光面に電子ビームを発射する際に、電子を加速するためブラウン管ＣＲＴに３０ＫＶ強の高電圧を負荷している。この高電圧は、トランス（図示省略）で発生する。図２に示すように、本実施の形態に係るケーブル装置１０ａは、ブラウン管の内面側のアノードコンタクトＡＣに電気的に接続されることにより、ブラウン管にトランスからの高電圧を供給するものである。
【００４１】
図１に示すように、ケーブル装置１０ａは、ケーブルＣの端部に端子部材１０を取り付けてなるものであり、ケーブルＣの端部は被覆部Ｃ１から芯線Ｃ２が剥き出され、端子部材１０にアノードキャップ２０が被せられ、端子部材１０は、ブラウン管のアノードコンタクトＡＣに接続して用いられる。
【００４２】
端子部材１０はステンレススチールの平板を折曲げることにより形成されている。アノードキャップ２０はゴム製で、ラッパ形状の本体部２１に、ケーブルＣ導入用の管部２２が一体に形成されて成る。アノードキャップ２０の内側中央部には、管部２２に連通する嵌合凹部２３が形成されている。端子部材１０は嵌合凹部２３に嵌め込まれることで嵌合凹部２３に位置決め保持されている。端子部材１０は、嵌合凹部２３の嵌入口２４の縁部２４ａによって抜け止めされている。
【００４３】
端子部材１０はアノードキャップ２０が被せられた状態で、アノードキャップ２０の外方からケーブルＣが芯線Ｃ２を先にして差し込まれるものであり、ケーブルＣの差し込み方向で手前側に配された被覆挟持部１１と、差し込み方向で奥側に配された芯線挟持部１２とを備えている。さらに、端子部材１０はアノードコンタクトＡＣを外方から覆うように配された天井部１３と、天井部１３の周縁に沿って配された周壁１４とを備えている。
【００４４】
被覆挟持部１１は、差し込み方向で周壁１４の手前側の壁を構成する一対の手前側挟持片１５を備え、一対の手前側挟持片１５は、ケーブルＣが差し込まれたときに、一対の手前側挟持片１５の少なくとも一方がその復元力に抗して撓み一対の手前側挟持片１５の間の隙間を広げることで被覆部Ｃ１の差し込みを許容する一方、復元して隙間を狭めることで被覆部Ｃ１を挟持するように形成されている。一対の手前側挟持片１５の間の隙間は被覆部Ｃ１の径の約８０％に設定されている。
【００４５】
芯線挟持部１２は、差し込み方向で周壁１４の奥側の壁を構成する一対の奥側挟持片１６を備え、一対の奥側挟持片１６は、ケーブルＣが差し込まれたときに、一対の奥側挟持片１６の少なくとも一方がその復元力に抗して撓み一対の奥側挟持片１６の間の隙間を広げることで芯線Ｃ２の差し込みを許容する一方、復元して隙間を狭めることで芯線Ｃ２を挟持するように形成されている。同じく、一対の奥側挟持片１６の間の隙間は、芯線Ｃ２の径の約８０％に設定されている。また、差し込み方向で芯線挟持部１２より奥側には対向部１３ａが配されている。対向部１３ａは、天井部１３から奥側に延設した延設部を折曲げて成るものであり、ケーブルＣを差し込んだときに芯線Ｃ２が突き当たるように形成されている。
【００４６】
被覆挟持部１１は、被覆部Ｃ１を挟持するとき被覆部Ｃ１に食い込むように形成されている。また、芯線挟持部１２は、芯線Ｃ２を挟持するとき芯線Ｃ２に食い込むように形成されている。一対の手前側挟持片１５は、隙間を間にして対向する一対の手前側挟持片１５の先端部１５ａとは反対側の基端部を固定した片持はりのように形成されている。また、一対の奥側挟持片１６は、隙間を間にして対向する一対の奥側挟持片１６の先端部１６ａとは反対側の基端部を固定した片持はりのように形成されている。
【００４７】
一対の手前側挟持片１５の先端部１５ａは、一対の手前側挟持片１５の間の隙間に向かって差し込み方向へ傾斜することで、被覆部Ｃ１を隙間に案内するように形成されている。手前側挟持片１５の先端部１５ａの傾斜角度は約２０度に設定されている。手前側挟持片１５の先端縁１５ｂは、被覆部Ｃ１の外周に沿うように円弧状凹部に形成されている。また、一対の奥側挟持片１６の先端部１６ａは、一対の奥側挟持片１６の間の隙間に向かって差し込み方向へ傾斜することで、芯線Ｃ２を隙間に案内するように形成されている。奥側挟持片１６の傾斜角度は約２０度に設定されている。奥側挟持片１６の先端縁１６ｂは、芯線Ｃ２の外周に沿うように円弧状凹部に形成されている。
【００４８】
周壁１４の両側の壁となる両側壁部１７には、アノードコンタクトＡＣに接続するための接続部１８が形成されている。すなわち、端子部材１０の両側壁部１７には、一対の接続部１８が一体的に形成されている。一対の接続部１８は、側壁部１７から互いに近づくように屈曲した後、互いに並行になるように屈曲し、それぞれの先端部に接続用フック１８ａが形成されて成る。接続用フック１８ａはブラウン管ＣＲＴのアノードコンタクトＡＣに挿着される。また、天井部１３は奥側で折曲げられ、差し込まれた芯線Ｃ２に奥側から対向する対向部１３ａを備えている。
【００４９】
次に、端子部材１０の製造について説明する。端子部材１０はステンレススチール製の１枚の平板をプレス加工することによって製造されている。すなわち、端子部材１０は、平板をブランク金型で打ち抜いて、図６に実線で示すようなブランク材を作り、そのブランク材を、同じく図６に示す想像線に沿ってベンド金型で折曲げることにより製造される。図６は、折曲げる前の部位を折曲げた後と同じ番号を付して示している。端子部材１０は、１枚の平板から製造され、端子部材１０が複数の部品から構成されていないので、組立工程が不要になり、また、部品管理が容易になり、この点からもコストを低減することができる。
【００５０】
この端子部材１０においては、被覆挟持部１１および芯線挟持部１２としてそれぞれ用いられる手前側の壁および奥側の壁以外の周壁１４を有効に利用している。すなわち、端子部材１０の周壁１４の両側の壁となる両側壁部１７を、アノードコンタクトＡＣに接続するための接続部１８として用いている。
【００５１】
次に、ケーブル装置の組立手順について説明する。ケーブルＣは所定の長さに切断され、ケーブルＣの両端部の被覆部Ｃ１から芯線Ｃ２をそれぞれ剥き出しておく。芯線Ｃ２が撚り線であれば、各線をハンダ付けしておく。
【００５２】
先ず、端子部材１０にアノードキャップ２０が被せられていない状態で端子部材１０にケーブルＣを取り付ける場合において、ケーブル装置の組立手順は以下のようになる。すなわち、端子部材１０にケーブルＣの端部を差し込むとき、ケーブルＣの差し込み方向で端子部材１０の被覆挟持部１１が手前側になり、芯線挟持部１２が奥側になるようにしておく。
【００５３】
端子部材１０をこのような状態にしてから、ケーブルＣが芯線Ｃ２を先にして端子部材１０に差し込まれると、ケーブルＣの被覆部Ｃ１および芯線Ｃ２が手前側の被覆挟持部１１を通り、さらに、芯線Ｃ２が奥側の芯線挟持部１２を通るようになる。被覆挟持部１１を通った被覆部Ｃ１は、被覆挟持部１１により挟持され、芯線挟持部１２を通った芯線Ｃ２は、芯線挟持部１２により挟持されるようになる。したがって、端子部材１０にケーブルＣを差し込むだけで、端子部材１０がケーブルＣの端部に取り付けられるので、芯線Ｃ２のハンダ付け工程または、被覆部Ｃ１あるいは芯線Ｃ２のカシメ工程が不要になり、ケーブル装置の組立作業性が向上する。
【００５４】
端子部材１０にアノードキャップ２０が被せられた状態で端子部材１０にケーブルＣを取り付ける場合において、ケーブル装置の組立手順は以下のようになる。すなわち、予め端子部材１０にアノードキャップ２０を被せておく。端子部材１０にアノードキャップ２０を被せるには、図３ａに示すように、端子部材１０にアノードキャップ２０に嵌め込めばよい。端子部材１０は、アノードキャップ２０に嵌め込まれることで位置決めされるので、端子部材１０を位置決めするための治具などを用いないで済み、ケーブル装置の組立作業性が向上する。
【００５５】
端子部材１０にアノードキャップ２０を被せた場合においても、ケーブルＣの差し込み方向で端子部材１０の被覆挟持部１１が手前側になり、芯線挟持部１２が奥側になるように端子部材１０をしておく。
【００５６】
端子部材１０をこの状態にしてから、図３ｂに示すように、アノードキャップ２０の嵌合凹部２３に嵌め込まれている端子部材１０に、アノードキャップ２０の管部２２からケーブルＣを芯線Ｃ２を先にして差し込むと、ケーブルＣの被覆部Ｃ１および芯線Ｃ２がアノードキャップ２０を通って、さらに、図４ａ〜ｃに示すように、手前側の被覆挟持部１１を通り、さらに、図５ａ〜ｃに示すように、芯線Ｃ２が奥側の芯線挟持部１２を通るようになる。
【００５７】
このとき、一対の手前側挟持片１５の先端部１５ａは、一対の手前側挟持片１５の間の隙間に向かって差し込み方向へ傾斜していて、被覆部Ｃ１をその隙間に案内するように形成されているので、一対の手前側挟持片１５の間の隙間に差し込むとき、その隙間に対して被覆部Ｃ１が多少ずれていても、被覆部Ｃ１が手前側挟持片１５によって隙間に案内されるようになる。
【００５８】
また、同じく、一対の奥側挟持片１６の先端部１６ａは、一対の奥側挟持片１６の間の隙間に向かって差し込み方向へ傾斜していて、芯線Ｃ２をその隙間に案内するように形成されているので、ケーブルＣの芯線Ｃ２を芯線挟持部１２である一対の奥側挟持片１６の間の隙間に差し込むとき、その隙間に対して芯線Ｃ２が多少ずれていても、芯線Ｃ２が奥側挟持片１６によって隙間に案内されるようになる。それにより、ケーブルＣの曲がりを直したり、ケーブルＣを端子部材１０に差し直したりする必要がなく、一度にケーブルＣを端子部材１０に差し込むことができる。
【００５９】
図３ｃおよび図５ｃに示すように、対向部１３ａにケーブルＣの芯線Ｃ２が当たるまで、ケーブルＣを差し込むようにすればよい。作業者は、芯線Ｃ２が対向部１３ａに突き当たったことを感じて、差し込みを終了することができる。それにより、ケーブルＣの差し込み不足や、差し込み過ぎを防止することができる。
【００６０】
また、嵌合凹部２３の嵌入口２４を通して、アノードキャップ２０の下方（図１で上方）から一対の奥側挟持片１６を目視することができるので、ケーブルＣの芯線Ｃ２が対向部１３ａに当たっていることを作業者が確認することができ、この点からも、ケーブルＣの差し込み不足や、差し込み過ぎを防止することができる。また、自動機でケーブルＣの差し込みを行う場合は、差し込み時の負荷が所定値以上になれば、芯線Ｃ２が対向部１３ａに突き当たったとして、ケーブルＣの差し込みを終了するようにすればよい。
【００６１】
図４ｂに示すように、被覆部Ｃ１が被覆挟持部１１を通るとき、被覆挟持部１１の一対の手前側挟持片１５が復元力に抗して片持はりのように撓み、その結果、一対の手前側挟持片１５の間の隙間が広がって、被覆部Ｃ１が通るのを許容するようになる。同じく、図５ｂに示すように、芯線Ｃ２が芯線挟持部１２を通るとき、芯線挟持部１２の一対の奥側挟持片１６が復元力に抗して片持はりのように撓み、その結果、一対の奥側挟持片１６の間の隙間が広がって、芯線Ｃ２が通るのを許容するようになる。
【００６２】
図４ｃに示すように、被覆挟持部１１を通った被覆部Ｃ１は、一対の手前側挟持片１５が復元して、片持はりの撓みが減少し、その結果、両者間の隙間が狭まることで挟持される。また、図５ｃに示すように、芯線挟持部１２を通った芯線Ｃ２は、一対の奥側挟持片１６が復元して、片持はりの撓みが減少し、その結果、両者間の隙間を狭まることで挟持されるようになる。したがって、端子部材１０がアノードキャップ２０に予め組み付けられた状態でも、ケーブルＣをアノードキャップ２０の外方からアノードキャップ２０内の端子部材１０にケーブルＣを差し込むだけで、端子部材１０がケーブルＣの端部に取り付けられ、ケーブル装置の組立作業性が向上する。
【００６３】
被覆挟持部１１である一対の手前側挟持片１５が被覆部Ｃ１を挟持するとき、一対の手前側挟持片１５が被覆部Ｃ１に食い込むようになり、また、芯線挟持部１２である一対の奥側挟持片１６が芯線Ｃ２を挟持するとき、一対の奥側挟持片１６が芯線Ｃ２に食い込むようになるので、ケーブルＣを端子部材１０から引き抜こうとする大きな力にも対抗することができる。
【００６４】
このように組み立てられたケーブル装置では、端子部材１０がアノードコンタクトＡＣを外方から覆うように配された天井部１３を備えているので、アノードコンタクトＡＣからの放射線を天井部１３が遮るようになり、放射線が外部へ放射されるのを端子部材１０によって有効に回避することができる。
【００６５】
なお、実施の形態においては、一対の手前側挟持片１５が共に復元力に抗して両者間の隙間を広げるもので被覆挟持部１１を構成し、同じく、一対の奥側挟持片１６が共に復元力に抗して両者間の隙間を広げるもので芯線挟持部１２を構成したものを示したが、これに限らない。例えば、一対の手前側挟持片１５の一方が復元力に抗して撓むことで、両者間の隙間を広げるようにし、また、一対の奥側挟持片１６の一方が復元力に抗して撓むことで、両者間の隙間を広げるようにしてもよい。
【００６６】
また、実施の形態では、作業者がケーブルＣを端子部材１０に差し込むことで、ケーブル装置を組み立てるものを示したが、自動機を用いて、ケーブル装置を組み立てるようにしてもよい。また、自動機によりケーブル装置を組み立てた後に、ケーブル装置の耐電圧試験を行うステージまでケーブル装置を自動的に搬送し、試験の合否によって、ケーブル装置を自動的に選別し、適格なケーブル装置のみを自動的に出荷するように構成してもよい。さらに、端子部材１０の天井部１３に略Ｖ字状断面形状のガイド溝を形成し、ケーブルＣの差し込み時に、ガイド溝が被覆部Ｃ１を案内することで、ケーブルＣの芯線Ｃ２が一対の奥側挟持片１６の間の隙間に向かうようにして、ケーブルＣの差し込み直しなどの作業をしないで済むようにしてもよい。
【００６７】
【発明の効果】
本発明に係るケーブル装置によれば、ケーブルが芯線を先にして端子部材に差し込まれると、ケーブルの被覆部が被覆挟持部により挟持され、芯線が芯線挟持部により挟持され、端子部材にケーブルを差し込むだけで、端子部材がケーブルの端部に取り付けられるようになるので、芯線のハンダ付け工程または、被覆部あるいは芯線のカシメ工程が不要になり、端子部材をケーブルの端部に取り付ける組立作業性が向上する。
【００６８】
端子部材にアノードキャップが被せられた状態においても、アノードキャップの外方からアノードキャップ内の端子部材にケーブルを芯線を先にして差し込めば、ケーブルの被覆部が被覆挟持部により挟持され、芯線が芯線挟持部により挟持されるようになるので、例えば、端子部材にケーブルの先端部を取り付けた後に、アノードキャップをケーブルの基端部から先端部へずらしていき、アノードキャップを端子部材に被せる必要がなく、ケーブル装置の組立作業性を向上することができる。
【００６９】
次に、被覆挟持部がケーブルの差し込み方向で周壁の手前側の壁を構成する一対の手前側挟持片を備え、芯線挟持部がケーブルの差し込み方向で周壁の奥側の壁を構成する一対の奥側挟持片を備え、端子部材にアノードキャップを被せた状態で、アノードキャップ内の端子部材にアノードキャップの外方からケーブルを芯線を先にして差し込むと、ケーブルの被覆部が一対の手前側挟持片により挟持され、芯線が一対の奥側挟持片により挟持されるようになるので、周壁を被覆挟持部および芯線挟持部として有効利用し、部品コストを低減することができ、また、端子部材がアノードコンタクトを外方から覆うように配された天井部を備えているので、アノードコンタクトからの放射線を天井部が遮るようになり、放射線が外部へ放射されるのを端子部材によって有効に回避することができる。
【００７０】
被覆挟持部が被覆部を挟持するとき被覆部に食い込むように形成され、芯線挟持部が芯線を挟持するとき芯線に食い込むように形成されているので、ケーブルを端子部材から引き抜こうとする大きな力にも対抗することができ、抜け防止の機能を向上させることができる。
【００７１】
一対の手前側挟持片の少なくとも一方は、隙間を間にして対向する一対の手前側挟持片の先端部とは反対側の基端部を固定した片持はりのように形成され、一対の奥側挟持片の少なくとも一方は、隙間を間にして対向する一対の奥側挟持片の先端部とは反対側の基端部を固定した片持はりのように形成され、片持はりを撓ませたり、復元させたりして、ケーブルの被覆部および芯線を挟持するようにしたので、端子部材の周壁を一対の手前側挟持片および一対の奥側挟持片として有効に利用することができ、部品コストを低減することができる。
【００７２】
一対の手前側挟持片の先端部が一対の手前側挟持片の間の隙間に向かって差し込み方向へ傾斜することで、被覆部を隙間に案内するように形成され、一対の奥側挟持片の先端部が一対の奥側挟持片の間の隙間に向かって差し込み方向へ傾斜することで、芯線を隙間に案内するように形成され、端子部材の取付作業において、ケーブルが一対の手前側挟持片の間の隙間や一対の奥側挟持片の間の隙間に対して多少ずれて差し込まれても、一対の手前側挟持片や一対の奥側挟持片によって隙間に案内されるので、ケーブルの曲がりを直したり、ケーブルを端子部材に差し直したりする必要がなく、ケーブル装置の組立作業性を向上することができる。
【００７３】
周壁の両側の壁となる両側壁部にアノードコンタクトに接続するための接続部が形成されているので、手前側の壁および奥側の壁以外の周壁を有効に利用することができ、接続部を別部材で成形する必要がなく、部品点数や部品組付工数を減らすことができる。ケーブルを差し込んだときに芯線が突き当たるように形成された対向部を備えたので、端子部材の取付作業において、例えば、作業者は、芯線が対向部に突き当たったことを感じて、ケーブルの差し込みを終了することができ、ケーブルの差し込み不足や、差し込み過ぎを防止することができる。
【００７４】
端子部材が１枚の平板を折曲げることにより形成されているので、端子部材を複数の部品から組立する必要がなく、また、端子部材の部品管理が容易になり、組立コストや管理コストを低減することができる。端子部材がアノードキャップに嵌め込まれることで位置決めされるので、アノードキャップに対して端子部材を位置決めするための治具などを用いないで、アノードキャップと端子部材とを組み立てることができ、ケーブルの組立作業性が向上する。
【図面の簡単な説明】
【図１】本発明の一実施の形態に係るケーブル装置において、アノードキャップを想像線で示した斜視図である。
【図２】本発明の一実施の形態に係るケーブル装置をアノードコンタクトに接続するときの様子を示す概念図である。
【図３】本発明の一実施の形態に係るケーブル装置の組立手順を示す断面図であり、（ａ）はアノードキャップに端子部材を嵌め込むときの図、（ｂ）は、端子部材をケーブルに取り付けるときの図、（ｃ）は、端子部材をケーブルに取り付けた後の図である。
【図４】本発明の一実施の形態に係るケーブル装置の組立において、ケーブルの被覆部が一対の手前側挟持片で挟持される様子を示す平面図であり、（ａ）は、被覆部が一対の手前側挟持片の間の隙間に通る前の図、（ｂ）は、その隙間に被覆部が通った直後の図、（ｃ）は、一対の手前側挟持片が被覆部に食い込んだときの図である。
【図５】本発明の一実施の形態に係るケーブル装置の組立において、ケーブルの芯線が一対の奥側挟持片で挟持される様子を示す平面図であり、（ａ）は、芯線が一対の奥側挟持片の間の隙間に通る前の図、（ｂ）は、その隙間に芯線が通った直後の図、（ｃ）は、一対の奥側挟持片が芯線に食い込んだときの図である。
【図６】本発明の一実施の形態に係る端子部材を展開したときの平面図である。
【符号の説明】
ＣＲＴ…ブラウン管
ＡＣ…アノードコンタクト
Ｃ…ケーブル
Ｃ１…被覆部
Ｃ２…芯線
１０ａ…ケーブル装置
１０…端子部材
１１…被覆挟持部
１２…芯線挟持部
１３…天井部
１４…周壁
１５…手前側挟持片
１５ａ…手前側挟持片の先端部
１５ｂ…手前側挟持片の先端縁
１６…奥側挟持片
１６ａ…奥側挟持片の先端部
１６ｂ…奥側挟持片の先端縁
１７…側壁部
１８…接続部
１８ａ…接続用フック
２０…アノードキャップ
２１…本体部
２２…管部
２３…嵌合凹部
２４…嵌入口
【図１】
2004335318.tif 000003
【図２】
2004335318.tif 000004
【図３】
2004335318.tif 000005
【図４】
2004335318.tif 000006
【図５】
2004335318.tif 000007
【図６】
2004335318.tif 000008